(57)【特許請求の範囲】
【請求項１】
ブラケット、第一筆軸及び第二筆軸を備えるタッチペンであって、
前記第一筆軸は回転軸を介して前記ブラケットに回転可能に装着され且つ前記ブラケット内に収納され、
前記第二筆軸は回転軸を介して前記第一筆軸に回転可能に装着され且つ前記第一筆軸内に収納され、
前記第一筆軸は、接触式入力に用いられる第一筆芯部を備え、前記第二筆軸は、筆記に用いられる第二筆芯部を備えることを特徴とするタッチペン。
【請求項２】
前記ブラケットは、底壁及びそれぞれ前記底壁の両側に突設されている２つの側壁を含み、前記底壁及び２つの前記側壁によって、前記第一筆軸を収納するための第一収容部が囲まれて形成されることを特徴とする請求項１に記載のタッチペン。
【請求項３】
前記側壁の少なくとも一方側には少なくとも１つの突起が設けられ、前記第一筆軸の外側面には少なくとも１つの第一係止用孔が設けられ、
前記突起と前記第一係止用孔とが係合することによって、前記第一筆軸が前記第一収容部内にロックされることを特徴とする請求項２に記載のタッチペン。
【請求項４】
前記側壁の回転軸が設けられる箇所の内側面には第一環状凹溝が設けられ、前記第一環状凹溝の底面には第一位置決め塊が突設され、前記第一筆軸は前記第一環状凹溝内にスライド可能に設置される第一係止用塊を有し、
前記第一係止用塊が前記第一位置決め塊に当接する際に、前記第一筆軸が前記ブラケットに対して展開されることを特徴とする請求項３に記載のタッチペン。
【請求項５】
前記第一筆軸の内部には、前記第二筆軸を収納するための第二収容部が設けられ、前記第二収容部を形成する内側壁には第二係止用塊が設けられ、前記第二筆軸の外側面には第二係止用孔が設けられ、
前記第二係止用塊と前記第二係止用孔とが係合することによって、前記第二筆軸が前記第二収容部内にロックされることを特徴とする請求項１から４のいずれか１項に記載のタッチペン。
【請求項６】
前記第二収容部を形成する内側壁には第二環状凹溝が設けられ、前記第二環状凹溝の底面には第二位置決め塊が突設され、前記第二筆軸は前記第二環状凹溝内にスライド可能に設置される第二係止用塊を有し、
前記第二係止用塊が前記第二位置決め塊に当接する際に、前記第二筆軸が前記第一筆軸に対して展開されることを特徴とする請求項５に記載のタッチペン。
【発明の詳細な説明】
【技術分野】
【０００１】
本発明は、タッチペンに関し、特に多機能のタッチペンに関するものである。
【背景技術】
【０００２】
従来の電子装置に用いられるタッチペンは、単純な接触式入力機能だけを有し、紙などに筆記することができない。人々が外出時に電話番号及びアドレスなどの情報を記録しようとするときに、ボールペン等を持っていなければもどかしい思いをする。ゆえに、人々はタッチペンを携帯すると共に、筆記用のペンを携帯する必要がある。従って、携帯する物品の数量が増加して、使用者の負担が増える。
【発明の概要】
【発明が解決しようとする課題】
【０００３】
本発明は上記の問題点を考慮してなされたものであり、筆記機能及び接触式入力機能を兼備するタッチペンを提供することを目的とする。
【課題を解決するための手段】
【０００４】
前記課題を解決するために、本発明に係るタッチペンは、ブラケット、第一筆軸及び第二筆軸を備える。前記第一筆軸は、回転軸を介して前記ブラケットに回転可能に装着され且つ前記ブラケット内に収納される。前記第二筆軸は、回転軸を介して前記第一筆軸に回転可能に装着され且つ前記第一筆軸内に収納される。
【発明の効果】
【０００５】
従来の技術と比較して、本発明のタッチペンの第一筆軸及び第二筆軸は、それぞれ接触式入力機能及び筆記機能を兼備するので、前記タッチペンの機能は多様になる。さらに、使用しない場合、回転することで、前記第一筆軸を前記ブラケット内に収納し、前記第二筆軸を前記第一筆軸内に収納することができるので、前記タッチペンは小型化できるという利点を有し、携帯する際に便利である。
【図面の簡単な説明】
【０００６】
【図１】本発明に係るタッチペンの分解図である。
【図２】図１に示したタッチペンの別の視点からの分解図である。
【図３】図２に示したタッチペンの組立て図である。
【図４】図３に示したタッチペンのＩＶ−ＩＶ線に沿う断面図である。
【図５】図３に示したタッチペンの使用状態を示す図である。
【図６】図３に示したタッチペンのもう１つの使用状態を示す図である。
【図７】図３に示したブラケットの長手方向に沿う断面図である。
【発明を実施するための形態】
【０００７】
図１及び図２に示したように、本発明に係るタッチペン１００は、略「凹」字状のブラケット１０と、回転軸５０を用いて前記ブラケット１０に回転可能に装着される第一筆軸２０と、回転軸５０を用いて前記第一筆軸２０に回転可能に装着される第二筆軸３０と、前記第一筆軸２０に着脱可能に覆設されるキャップ４０と、を備える。
【０００８】
前記ブラケット１０は、底壁１２と、前記底壁１２の両側から垂直に突設される側壁１４と、前記底壁１２及び前記側壁１４によって取り囲まれて形成される第一収容部１６と、を含む。各側壁１４の両端には、それぞれ突起１４２と前記側壁１４を貫通する第一軸孔１４４とが設けられている。２つの前記突起１４２は、前記側壁１４の内面で互いに向き合うように設置されて、前記第一筆軸２０を前記第一収容部１６内に固定するために用いられる。２つの前記第一軸孔１４４は、同一直線上に設けられて、前記回転軸５０の両端をそれぞれ固定するために用いられる。前記側壁１４の内側面における前記第一軸孔１４４の周りには、第一環状凹溝１４６がさらに設けられ、各第一環状凹溝１４６の底面には、第一位置決め塊１４８が突設されている。２つの前記第一位置決め塊１４８は、互いに向き合うように設置される。
【０００９】
前記第一筆軸２０は、本体２２及び前記本体２２の一端に連結される第一筆芯部２４を含む。前記本体２２の長手方向の両側には、互いに平行な２つの固定アーム２８が延在し、２つの前記固定アーム２８によって前記本体２２の内部には、略「Ｕ」字状の第二収容部２６が形成される。前記第二収容部２６は、前記第二筆軸３０を収納するために用いられ、且つ前記筆芯部２４から離れている一端が開口されている。各固定アーム２８の両端の外側壁には、それぞれ第一係止用孔２８０及び第一係止用塊２８２が設けられている。前記第一係止用孔２８０と前記ブラケット１０の突起１４２との係合により、前記第一筆軸２０を前記第一収容部１６内に係止する。前記第一係止用塊２８２は、前記ブラケット１０の第一位置決め塊１４８と互いに当接して、前記第二筆軸２０が前記ブラケット１０に対して展開されるように位置決めする。各第一係止用塊２８２に隣接して前記固定アーム２８を貫通する第二軸孔２８４が対称に設けられている。前記回転軸５０が２つの前記第二軸孔２８４及び前記ブラケット１０の第一軸孔１４４を貫通すると、前記第一筆軸２０は前記ブラケット１０に回転可能に装着される。各固定アーム２８の内側面における前記第二軸孔２８４の周りには、第二環状凹溝２８６が設けられ、各第二環状凹溝２８６の底面には第二位置決め塊２８８が突設されている。各固定アーム２８の内側面の中部に近い箇所には、第二係止用塊２８９がさらに設けられている。前記２つの第二係止用塊２８９は、互いに向き合うように設置され、且つ前記第一筆軸２０を前記第二収容部２６内にロックさせるために用いられる。前記第一筆芯部２４は、電子装置のタッチパネルに触れることで接触式入力機能を実現するために用いられる。
【００１０】
前記第二筆軸３０は、中空の筒状部３２と、細長い第二筆芯部３４と、内周面にねじ山が設けられた留め部３６と、を備える。前記筒状部３２には、軸方向に沿って前記第二筆芯部３４を収納するための空洞部３２２が設けられている。前記筒状部３２の一端の外周面には、前記留め部３６のねじ山と組み合わせられるねじ山が設けられ、前記筒状部３２の他端にはそれ自体を貫通する第三軸孔３２４が径方向に沿って設けられている。前記回転軸５０が前記第三軸孔３２４及び前記第一筆軸２０の第二軸孔２８４を貫通することにより、前記第二筆軸３０を前記第一筆軸２０に回転可能に装着する。前記筒状部３２の周壁には前記第三軸孔３２４に隣接し、且つ前記第二筆軸３０を前記第一筆軸２０に位置決めするための２つの第二係止用塊３２６が突設されている。前記第二係止用塊３２６は、前記第一筆軸２０の第二環状凹溝２８６内でスライドし、且つ前記第二位置決め塊２８８と互いに当接して、前記第二筆軸３０が展開されるように位置決めする。前記筒状部３２の外周壁の中部には、対向する２つの第二係止用孔３２８が設けられる。前記第二係止用孔３２８は、前記第一筆軸２０の第二係止用塊２８９と互いに係合して、前記第二筆軸３０を前記第二収容部２６内にロックさせる（図４を参照）。前記第二筆芯部３４は、紙に筆記することができる筆先３４２を含む。前記第二筆芯部３４を前記筒状部３２に装着して、前記留め部３６を前記筒状部３２に螺合した後、前記筆先３４２は前記留め部３６の頭部から露出する。
【００１１】
以下、図１〜図４を参照しながら、本発明に係るタッチペン１００の組立てステップについて詳細に説明する。
【００１２】
まず、前記第一筆軸２０を前記ブラケット１０の第一収容部１６に設置すると共に、前記第一筆軸２０の第二軸孔２８４と前記ブラケット１０の第一軸孔１４４との位置を合わせる。次に、前記第二筆芯部３４を前記筒状部３２内に挿入してから、前記留め部３６を前記筒状部３２の一端に螺合して、前記第二筆芯部３４の筆先３４２を前記留め部３６から露出させる。続いて、前記一体に組立てられた第二筆軸３０を前記第一筆軸２０の第二収容部２６内に設置すると共に、前記第二筆軸３０の第三軸孔３２４と前記第一筆軸２０の第二軸孔２８４との位置を合わせる。次に、前記第一軸孔１４４、第二軸孔２８４及び第三軸孔３２４内に回転軸５０を挿入して、前記第一筆軸２０を前記ブラケット１０に回転可能に装着すると同時に、前記第二筆軸３０を前記第一筆軸２０に回転可能に装着する。最後に、前記キャップ４０を前記第一筆軸２０の第一筆芯部２４に被せる。これで、前記タッチペン１００の組立てが完成する（組み立てた状態を図３に示す）。
【００１３】
図５に示したように、前記タッチペン１００の接触式入力機能を使用する場合、前記キャップ４０を前記第一筆芯部２４から取り外して、前記第一筆芯部２４に外力を加えて、前記第一筆軸２０を前記回転軸５０回りに回転させて、前記第一筆軸２０の第一係止用孔２８０を前記ブラケット１０の突起１４２から離脱させる。これと同時に、前記第二筆軸３０が前記第一筆軸２０と一緒に回転し、前記第一筆軸２０の第一係止用塊２８２は前記ブラケット１０の第一環状凹溝１４６内でスライドする。前記第一係止用塊２８２が前記ブラケット１０の第一位置決め塊１４８を越えてそれに当接すると、前記第一筆軸２０は１８０度回転して前記ブラケット１０から完全に延出する。このとき、前記第一筆軸２０の末端は、前記ブラケット１０の底壁１２上に載置され且つ前記ブラケット１０の一端に連結される。
【００１４】
前記タッチペン１００の接触式入力機能を使用しない場合、外力により前記第一筆軸２０を前記回転軸５０回りに回転させることで前記第一収容部１６内に収まり、前記第一筆軸２０の第一係止用孔２８０が前記ブラケット１０の突起１４２に係合すると、前記第一筆軸２０は前記第一収容部１６内にロックされる。
【００１５】
図６及び図７に示したように、前記タッチペン１００の筆記機能を使用する場合、上述したように、前記第一筆軸２０が前記ブラケット１０内に収まって両者を畳む状態にしてから、外力により前記第二筆軸３０を前記回転軸５０回りに回転させて、前記第二筆軸３０の第二係止用孔３２８を前記第一筆軸２０の第二係止用塊２８９から離脱させる。これと同時に、前記第二筆軸３０の第二係止用塊３２６は、前記第一筆軸２０の第二環状凹溝２８６内でスライドする。前記第二係止用塊３２６が前記第一筆軸２０の第二位置決め塊２８８を越えてそれに当接すると、前記第二筆軸３０は１８０度回転して前記ブラケット１０から完全に延出する。このとき、前記第二筆軸３０の末端は、前記ブラケット１０の底壁１２上に載置され且つ前記ブラケット１０の一端に連結される。
【００１６】
前記タッチペン１００の筆記機能を使用しない場合、外力により前記第二筆軸３０を前記回転軸５０回りに回転させることで前記第二収容部２６内に収まって、前記第二筆軸３０の第二係止用孔３２８が前記第一筆軸２０の第二係止用塊２８９に係合すると、前記第二筆軸３０は前記第二収容部２６内にロックされる。続いて、前記キャップ４０を前記第一筆軸２０の第一筆芯部２４に被せて、前記タッチペン１００を完全に折り畳む。
【００１７】
また、前記突起１４２、前記第一環状凹溝１４６、前記第一位置決め塊１４８、前記第二環状凹溝２８６、前記第二位置決め塊２８８及び前記第二係止用塊２８９の数をそれぞれ１つにしてもよい。それに合わせ、前記第一係止用孔２８０、前記第一係止用塊２８２、前記第二係止用塊３２６及び前記第二係止用孔３２８も１つだけ設ける。
【００１８】
本発明に係るタッチペン１００において、前記第一筆軸２０及び前記第二筆軸３０は、それぞれ接触式入力機能及び筆記機能を兼備するので、機能が多様になる。さらに、使用しない場合、回転することで、前記第一筆軸２０を前記ブラケット１０内に収納し、前記第二筆軸３０を前記第一筆軸２０内に収納することができるので、前記タッチペン１００は小型化できるという利点も有し、携帯する際に便利である。
【００１９】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは言うまでもない。
【符号の説明】
【００２０】
１０        ブラケット
１２        底壁
１４        側壁
１６        第一収容部
２０        第一筆軸
２２        本体
２４        第一筆芯部
２６        第二収容部
２８        固定アーム
３０        第二筆軸
３２        筒状部
３４        第二筆芯部
３６        留め部
４０        キャップ
５０        回転軸
１００      タッチペン
１４２      突起
１４４      第一軸孔
１４６      第一環状凹溝
１４８      第一位置決め塊
２８０      第一係止用孔
２８２      第一係止用塊
２８４      第二軸孔
２８６      第二環状凹溝
２８８      第二位置決め塊
２８９      第二係止用塊
３２２      空洞部
３２４      第三軸孔
３２６      第二係止用塊
３２８      第二係止用孔
３４２      筆先
【図１】
0005559743.tif 000002
【図２】
0005559743.tif 000003
【図３】
0005559743.tif 000004
【図４】
0005559743.tif 000005
【図５】
0005559743.tif 000006
【図６】
0005559743.tif 000007
【図７】
0005559743.tif 000008